(57)【要約】      （修正有）【課題】地面に落ちた梅などを拾う収集具に関し、腰をかがめることなく立ち姿で、梅などを比較的楽に、能率よく拾える用具を提供する。【解決手段】棒状体１の一端に、一端開放で他端閉塞の袋状体２を取り付けるとともに、上記棒状体の他端には、上記棒状体の延長線方向に平板状の肘当部６を、上記棒状体とほぼ直交する方向に把持部４をそれぞれ取り付ける。袋状体には別途用意されたピック棒より受け渡される梅などを収集し、把持部は一般にきき手でない方の手で握り収集具そのものを保持する。平板状の肘当部は把持部を握った手の肘を当てる部分であり、この肘当部には自然に肘より力が加わり、袋状体を持ち上げるような具合となり、作業者がより楽に作業をすることができる。【選択図】図１
0003134783.tif 000002
【実用新案登録請求の範囲】
【請求項１】
棒状体の一端に、一端開放で他端閉塞の袋状体を取り付けるとともに、上記棒状体の他端には、上記棒状体の延長線方向に平板状の肘当部を、上記棒状体とほぼ直交する方向に把持部をそれぞれ取り付けたことを特徴とする収集具。
【請求項２】
棒状体の一端に、一端開放で他端閉塞の袋状体を取り付けるとともに、上記棒状体の他端には、上記棒状体の延長線方向に平板状の肘当部を、上記棒状体とのなす角度が９０°〜８０°となる方向に把持部をそれぞれ取り付けたことを特徴とする収集具。
【請求項３】
上記平板状の肘当部の側部に曲げ起し部を設けたことを特徴とする請求項１又は２に記載の収集具。
【考案の詳細な説明】
【技術分野】
【０００１】
本考案は、特に梅などの果実を拾う収集具に関するものである。
【背景技術】
【０００２】
梅の収穫は、木成りの状態で行う場合よりも、地面に落下したもの又は落下させてから行うことが多い。落下の梅果実を収集するには一般的に膝を地面につけて作業をすることが多く、その作業は、大変疲れることでもあり、苦痛を伴なうことさえある。  従来より、膝当てを工夫して上述の疲れ、苦痛をやわらげることが提案されている（例えば、特許文献１参照）。
【０００３】
また、立ち姿で収穫作業をする場合、一般に作業者のきき手でピック棒を持ち、他方の手に収集袋を一端に取り付けた比較的長い柄の端部を持ち、ピック棒等で拾った梅などを逐一、収集袋に収めるのである。この場合収集袋に収められる梅などが増加するにつれ、他方の手に相当な負担がかかり大変な作業である。
【特許文献１】特開平１０−４６４１１号公報
【考案の開示】
【考案が解決しようとする課題】
【０００４】
本考案は、地面に落ちた梅などを拾う収集具に関し、腰をかがめることなく立ち姿で、梅などを比較的楽に、能率よく拾える用具を提供しようとするもので、そのために特に構造的に工夫をしたものである。
【課題を解決するための手段】
【０００５】
そのために、本考案収集具は、棒状体の一端に、一端開放で他端閉塞の袋状体を取り付けるとともに、上記棒状体の他端には、上記棒状体の延長線方向に平板状の肘当部を、上記棒状体とほぼ直交する方向に把持部をそれぞれ取り付けたことを特徴とする。
【０００６】
ここで、袋状体には別途用意されたピック棒より受け渡される梅などを収集する。又、把持部は一般にきき手でない方の手で握り収集具そのものを保持するものである。平板状の肘当部は把持部を握った手の肘を当てる部分であり、この肘当部には自然に肘より力が加わり、袋状体を持ち上げるような具合となり、作業者がより楽に作業をすることができることになる。
【０００７】
ほぼ直交としたのは、一般的に９０°方向よりは１０°以内の範囲で袋状体側に適宜ずらした方が作業者の手首に荷がかかりにくく好都合であるからである。
【考案の効果】
【０００８】
本考案は、以上のとおりであり、梅収集作業を膝を従来のように地面につけて行う必要なく、しかも立ち姿でより楽に行うことができる。
【考案を実施するための最良の形態】
【０００９】
以下、本考案の一実施例における収集具について、図面を用いて詳細に説明する。
【００１０】
図１は同収集具の斜視図であり、図１において、１はアルミニウム製のパイプ棒状体で外径２．５ｃｍ，長さ５４ｃｍである。棒状体１の一端には一端開放で他端閉塞の袋状体２（図示例はたも網）をビス３で取り付けるとともに、他端には棒状体と８５°の角度をもつ方向に長さ１６．５ｃｍのアルミニウム製の棒状の把持部４をビス５にて取り付け、
さらに棒状体１の延長線方向に長さ２９ｃｍ，幅７ｃｍ，厚み０．２ｃｍのアルミニウム製の平板状の肘当部６を上述のビス５にて取り付ける。たも網２はステンレス枠２１のビニール網を使用した。
【００１１】
尚、上述の棒状体１への袋状体２並びに把持部４及び肘当部６のそれぞれの取り付けの詳細は、図２及び図３で更に明瞭になるが、この図示例は一例を示すに過ぎず色々な取り付けが可能なことはいうまでもない。
【００１２】
また、肘当部６の両側部には肘が当たる面と反対の側に向かって補強のための曲げ起し部７を設けている。曲げ起し部７の向きは肘の当たる面側であってもよい。肘当部は、あまり厚くすると重たくなり、そのために適宜の厚みで強度を維持するために、曲げ起し部が有効である。
【００１３】
上記は、一実施例を説明するもので、棒状体１、把持部４、肘当部６の材料はアルミニウムに限らず、また、棒状体１はパイプ状に限られないが、軽量化という点ではアルミニウム製のパイプが適切である。
【００１４】
更に、袋状体（たも網）、把持部、肘当部の取り付けをビスにて行うかわりに溶接、その他の方法で取り付けても良い。但し、後述するように袋状体を度々代えるような場合はビス止めが好都合である。
【００１５】
図４は、梅などの果実をかき寄せたり又は拾い上げるためのピック棒の斜視図、図５は同ピック棒の要部分解斜視図であり、図４、図５において、１１は長さ１１８ｃｍのアルミニウム製のパイプ棒で先端に把手１１´をつけている。１２はパイプ棒１１のもう一方の先端に２本のビス１３にて取り付けられたアルミニウム製の皿状部であり、皿状部１２の長さは１０ｃｍ，幅は６ｃｍ，パイプ棒１１との取り付け部に当る部分１４の長さは８ｃｍである。さらに皿状部は中央部１５にくぼみを設け、果実のすべり落ちを防止するとともに、果実の拾いを良好にするために手元よりみて左側１６に左上りの傾斜を設けている。図６は、図５のＡ−Ａ断面図を示す。その他、皿状部には色々の形状的な工夫をすることができることはいうまでもない。
【００１６】
更に、図７はピック棒の一部切欠側面図を示す。各図の番号は先に説明と同じ部分に同じ番号を付している（以下も同じ）。
【００１７】
図８，図９は、本考案収集具の使用法を判りやすく説明するための図であり、本考案の最大の特徴は、把持部４を使用者の一般にはきき手でない方の手１７で持ち、同手の肘を自然と肘当部６に当てる形となり、したがって袋状体２の荷の軽重に応じて肘よりの力が肘当部６に加えられ、仮りに荷が相当重くなっても使用者は楽に作業することができることである。
【００１８】
尚、きき手１８はピック棒１１を持ち、梅１９などを拾い袋状体（たも網）２に能率よく収集することができる。
【００１９】
また、上記のような梅などの果実の収集に代えて、側溝の清掃、砂浜の清掃、タール油の回収、空缶の回収時などにも、本考案収集具は利用できる。これらの場合、袋状体として、たも網に代えて適宜の袋体を採用することは言うまでもない。
【図面の簡単な説明】
【００２０】
【図１】本考案の一実施例における収集具の斜視図である。
【図２】同上実施例における収集具の要部分解斜視図である。
【図３】同上実施例における収集具の要部分解斜視図である。
【図４】本考案の収集具を使用する際に使われるピック棒の一例の斜視図である。
【図５】同上ピック棒の要部分解斜視図である。
【図６】図５のＡ−Ａ断面図である。
【図７】同上ピック棒の一部切欠側面図である。
【図８】本考案収集具の使用法を説明するための図である。
【図９】本考案収集具の使用法を説明するための図である。
【符号の説明】
【００２１】
１      棒状体
２      袋状体
３      ビス
４      把持部
５      ビス
６      肘当部
７      曲げ起し部
１１      パイプ棒
１２      皿状部
１３      ビス
【図１】
0003134783.tif 000003
【図２】
0003134783.tif 000004
【図３】
0003134783.tif 000005
【図４】
0003134783.tif 000006
【図５】
0003134783.tif 000007
【図６】
0003134783.tif 000008
【図７】
0003134783.tif 000009
【図８】
0003134783.tif 000010
【図９】
0003134783.tif 000011